(57)【要約】【課題】  鞄内部の収納空間を減少させず、且つキャスター付き鞄を移動させる際のスムーズな移動が可能で、しかも操作が容易なキャスター付き鞄の移動防止装置を提供する。【解決手段】  本発明に係るキャスター付き鞄の移動防止装置は、キャスター２が設けられた鞄１の底面に取り付けられるベース３と、ベース３に一端部が回転可能に取り付けられ、他端部がベース３に近接する収納位置と、地面Ｇに係合し得る係合位置との間を揺動するように揺動操作可能な揺動部材５と、一端部が揺動部材５に回転可能に連結され、他端部がベース３に回転可能に連結されるとともに揺動部材５の揺動に連動してベース３の底面に沿って摺動可能に連結された第一のリンク７と、一端部が第一のリンク７の他端部に回転可能に連結され、第一のリンク７の他端部と共にベース３の底面に沿って摺動するように構成された第二のリンク９と、を備えることを特徴とする。【選択図】  図３
2008142366.tif 000002
【特許請求の範囲】
【請求項１】
キャスターが設けられた鞄の底面に取り付けられるベースと、
前記ベースに一端部が回転可能に取り付けられ、他端部が当該ベースに近接する収納位置と、地面に係合し得る係合位置との間を揺動するように揺動操作可能な揺動部材と、
一端部が前記揺動部材に回転可能に連結され、他端部が前記ベースに回転可能に連結されるとともに前記揺動部材の揺動に連動して当該ベースの底面に沿って摺動可能に連結された第一のリンクと、
一端部が前記第一のリンクの他端部に回転可能に連結され、当該第一のリンクの他端部と共に前記ベースの底面に沿って摺動するように構成された第二のリンクと、を備え、
前記ベースは、前記第二のリンクに設けられた係止部を係止して、前記揺動部材を前記係合位置で保持する被係止部を有しており、
前記第二のリンクの他端部によって前記係止部と被係止部との係止状態を解除操作可能に構成され、前記係合位置で、前記第二のリンクの他端部が当該係止状態の解除操作可能な前進位置に配置され、
前記収納位置で、前記第二のリンクの他端部が前記ベースに隠れる後退位置に配置されるとともに、当該揺動部材及び前記第一のリンクが前記ベースの底面に沿うように配置されることを特徴とする、キャスター付き鞄の移動防止装置。
【請求項２】
前記揺動部材の他端部は、地面に係合する接地面にゴム製の係合部材を有していることを特徴とする、請求項１に記載のキャスター付き鞄の移動防止装置。
【請求項３】
前記揺動部材を前記係合位置から前記収納位置に向けて付勢し、前記係止状態を解除すると、前記揺動部材を前記収納位置に移動させて保持する第一の付勢手段をさらに備えることを特徴とする、請求項１又は２に記載のキャスター付き鞄の移動防止装置。
【請求項４】
前記係止部を前記被係止部に向けて付勢することによって、前記第二のリンクの一端部を中心とする前記係止部の揺動移動を伴なって前記係止部に前記被係止部を係止させる第二の付勢手段をさらに備えることを特徴とする、請求項１から３のいずれかに記載のキャスター付き鞄の移動防止装置。
【請求項５】
前記揺動部材は、前記収納位置で前記第一のリンク及び第二のリンクを収納する収納部を備えることを特徴とする、請求項１から４のいずれかに記載のキャスター付き鞄の移動防止装置。
【請求項６】
請求項１から５のいずれかに記載の移動防止装置を備えることを特徴とする、キャスター付き鞄。
【発明の詳細な説明】
【技術分野】
【０００１】
本発明は、キャスター付き鞄の移動防止装置に関する。
【背景技術】
【０００２】
従来、底部にキャスターが設けられたロッカーやテーブル等の什器を所望の設置位置から動かないように固定するための移動防止装置が種々提案されている。例えば、特許文献１では、キャスター付きのロッカー等の底面と地面との間に上下動可能に構成された固定用支持脚が設けられており、この固定用支持脚の上部に連結された固定用レバーを押し下げ操作することで固定用支持脚を接地させて、ロッカー等の移動を防止している。
【０００３】
また、特許文献２には、両端部にキャスターが取り付けられ、地面に平行に延びる接地脚を有するテーブルが記載されている。このテーブルは、接地脚の内部に収容されたストッパー装置によってテーブルの移動を防止している。このストッパー装置は、回動軸を中心にして揺動可能な傾動部材の先端に固定された接地部材が、接地脚の内部に収容された状態から、傾動部材の揺動に伴なって接地脚の底面から突出して接地することでテーブルの移動を防止している。このとき、傾動部材の上方で回動軸を中心にして揺動可能に設けられ、接地脚の上面の開口部から操作可能な操作部材の一端部が押し下げられることで、傾動部材が下方へ押し下げられ揺動するようになっている。
【特許文献１】特開平１１−１９２８０５号公報
【特許文献２】特許第３５５１８１１号公報
【発明の開示】
【発明が解決しようとする課題】
【０００４】
ところで、特許文献１に記載された移動防止装置では、固定用レバーによって固定用支持脚を上方から押し下げることが可能となるように、固定用レバー及び固定用支持脚が上下に配置されている。そのため、固定用支持脚が接地しないように配置され、ロッカー等が移動可能になった状態においても、固定用支持脚がロッカー等の底面から大きく突出する。その結果、地面に突起物等がある場合には、固定用支持脚がこの突起物等と衝突し、このロッカー等をスムーズに移動させることができない。
【０００５】
これに対し、特許文献２に記載された移動防止装置では、接地部材が接地脚の内部に収容されるようになっているため、地面に突起物等がある場合においてもテーブルをスムーズに移動させることができる。しかしながら、この特許文献２の移動防止装置では、操作部材及び傾動部材が上下に配置されていることから、高さ方向の占有スペースが大きくなる。
【０００６】
本発明では、キャスター付き鞄を対象としており、その移動防止装置として特許文献１に記載のものを適用した場合には、地面に突起物等があると上記のようにスムーズな移動を可能にすることができない。一方、特許文献２に記載のものを適用した場合には、スムーズな移動は可能になるが、移動防止装置が鞄内部の収納空間の一部を占有してしまうことになり、収納空間を減少させてしまうことになる。さらに、特許文献２に記載の移動防止装置は、その操作部材が接地脚の上面の開口部から操作可能となっているため、これをキャスター付きの鞄に適用すると、この操作部材を鞄の内部から操作することになり、操作に手間がかかるという問題がある。
【０００７】
本発明は、上記問題を解決するためになされたものであり、鞄内部の収納空間を減少させず、且つキャスター付き鞄を移動させる際のスムーズな移動が可能で、しかも操作が容易なキャスター付き鞄の移動防止装置を提供することを目的とする。
【課題を解決するための手段】
【０００８】
本発明に係るキャスター付き鞄の移動防止装置は、上記問題を解決するためになされたものであり、キャスターが設けられた鞄の底面に取り付けられるベースと、前記ベースに一端部が回転可能に取り付けられ、他端部が当該ベースに近接する収納位置と、地面に係合し得る係合位置との間を揺動するように揺動操作可能な揺動部材と、一端部が前記揺動部材に回転可能に連結され、他端部が前記ベースに回転可能に連結されるとともに前記揺動部材の揺動に連動して当該ベースの底面に沿って摺動可能に連結された第一のリンクと、一端部が前記第一のリンクの他端部に回転可能に連結され、当該第一のリンクの他端部と共に前記ベースの底面に沿って摺動するように構成された第二のリンクと、を備え、前記ベースは、前記第二のリンクに設けられた係止部を係止して、前記揺動部材を前記係合位置で保持する被係止部を有しており、前記第二のリンクの他端部によって前記係止部と被係止部との係止状態を解除操作可能に構成され、前記係合位置で、前記第二のリンクの他端部が当該係止状態の解除操作可能な前進位置に配置され、前記収納位置で、前記第二のリンクの他端部が前記ベースに隠れる後退位置に配置されるとともに、当該揺動部材及び前記第一のリンクが前記ベースの底面に沿うように配置されることを特徴とする。
【０００９】
この構成によれば、移動防止装置がキャスター付き鞄の底面に設けられているため、鞄内部の収納空間を減少させることがない。
【００１０】
また、地面に係合し得る揺動部材が揺動操作可能に構成されているので、従来例のように地面に接地する部材とは別に構成された操作用の部材が不要である。さらに、この構成によれば、揺動運動によって揺動部材を移動させているため、揺動部材が収納位置に配置された状態で鞄の底面に沿うように配置される。そして、第一のリンクも、一端部が回転可能であるとともに、他端部が回転可能で且つ摺動可能に連結されているため、揺動部材の揺動に連動して揺動し、揺動部材が収納位置に配置された状態で鞄の底面に沿うように配置される。その結果、鞄の底面からの移動防止装置全体の突出量が小さくなる。したがって、地面に突起物等があっても移動防止装置が衝突しにくく、鞄の移動をスムーズに行うことができる。
【００１１】
さらに、この構成によれば、揺動部材が揺動操作可能に構成されるとともに、揺動部材を係合位置で保持する係止部と被係止部との係止状態を解除する第二のリンクの他端部が、係止状態の解除操作可能な前進位置に配置されるようになっている。そのため、従来例として説明したように鞄の内部から操作する必要がなく、移動防止装置の操作が容易である。
【００１２】
また、第二のリンクの他端部は、揺動部材が収納位置にある状態ではベースに隠れる後退位置に配置されているため、揺動部材を収納位置から係合位置へ揺動操作する際に誤って操作されることがなく、移動防止装置の操作性がよい。
【００１３】
上記キャスター付き鞄の移動防止装置において、前記揺動部材の他端部は、地面に係合する接地面にゴム製の係合部材を有していることが好ましい。
【００１４】
こうすることで、揺動部材の他端部と地面との摩擦抵抗が高まり、キャスター付き鞄の移動防止効果を高めることができる。
【００１５】
また、上記キャスター付き鞄の移動防止装置において、前記揺動部材を前記係合位置から前記収納位置に向けて付勢し、前記係止状態を解除すると、前記揺動部材を前記収納位置に移動させて保持する第一の付勢手段をさらに備えることが好ましい。
【００１６】
この構成によれば、上記係止部と被係止部との係止状態の解除操作を行うと、揺動部材が自動的に収納位置に移動するので、移動防止装置の操作をより容易にすることができる。
【００１７】
また、上記キャスター付き鞄の移動防止装置において、前記係止部を前記被係止部に向けて付勢することによって、前記第二のリンクの一端部を中心とする前記係止部の揺動移動を伴なって前記係止部に前記被係止部を係止させる第二の付勢手段をさらに備えることが好ましい。
【００１８】
この構成によれば、揺動部材が係合位置に移動すると、第二のリンクの係止部が自動的にベースの被係止部に係止され、揺動部材を係合位置に自動的に保持することができる。また、第二の付勢手段の付勢力に抗して第二のリンクを移動させるだけで揺動部材の係合位置での保持状態の解除を行うことができる。そのため、移動防止装置の操作をさらに容易にすることができる。
【００１９】
さらに上記構成において、前記揺動部材は、前記収納位置で前記第一のリンク及び第二のリンクを収納する収納部を備えることが好ましい。
【００２０】
この構成によれば、キャスター付き鞄の移動防止装置のさらなる省スペース化を図り、デザイン性を良くすることができる。
【００２１】
また、本発明に係るキャスター付き鞄は、上記問題を解決するためになされたものであり、上記移動防止装置を備えることを特徴とする。
【発明の効果】
【００２２】
本発明に係るキャスター付き鞄の移動防止装置によれば、鞄内部の収納空間を減少させず、且つキャスター付き鞄を移動させる際のスムーズな移動が可能で、しかも操作が容易なキャスター付き鞄の移動防止装置を提供することができる。
【発明を実施するための最良の形態】
【００２３】
以下、本発明に係るキャスター付き鞄の移動防止用ストッパーの一実施形態について図面を参照しつつ説明する。図１は本実施形態に係る移動防止用ストッパーの分解斜視図、図２は図１の移動防止用ストッパーの組立状態を示す正面図、図３は図２の移動防止用ストッパーの縦断面図、図４は図２の移動防止用ストッパーの要部斜視図、図５は図２の移動防止用ストッパーの収納状態を示す縦断面図である。尚、本実施形態では、図１及び図４のＸ方向を「右」、図１及び図３〜図５のＹ方向を「前」と称することとする。
【００２４】
図１〜図４に示すように、本実施形態に係るキャスター付き鞄の移動防止用ストッパーは、キャスター２付きの鞄１の底面に取り付けられるベース３と、後端部（一端部）がベース３に回転可能に連結され、前端部（他端部）が地面Ｇに係合してキャスター付き鞄１の移動を防止するための揺動部材５と、揺動部材５の前端部を地面Ｇに係合させた状態で保持するための第一のリンク７及び第二のリンク９とを備えている。
【００２５】
ベース３は、図３に示すように、鞄１の側面に沿って上下方向に延びる板状の側壁部３ａと、鞄１の底面に沿って前後方向に延びる板状の底壁部３ｂとを有する断面略L字状に形成されており、側壁部３ａを鞄１の側面に当接した状態で、後述するガイド板１１と共に底壁部３ｂを鞄１の底面にネジ止め（図示せず）することで固定されている。また、底壁部３ｂには、図１〜３に示すように、左右端縁及び後端縁に沿って下方へ突出する左右突出壁３ｃ，３ｃ及び後突出壁３ｄがそれぞれ形成されており、揺動部材５が後述する収納位置にある状態でこれらの内側に収容されるようになっている。
【００２６】
ガイド板１１は、図１に示すように、ベース３の底面に沿って前後方向に延びる長方形状の基部１１ａと、基部１１ａの左右端縁に沿って下方へ起立した一対の左右起立壁１１ｂ，１１ｂと、基部１１ａの前端縁に沿って下方へ起立した前起立壁１１ｃとを有している。この左右起立壁１１ｂ，１１ｂ及び前起立壁１１ｃの内側には、揺動部材５が後述する収納位置に配置された図５に示す状態で、第一のリンク７を収納するようになっている。また、左右起立壁１１ｂ，１１ｂの前端縁１１ｂｆ，１１ｂｆと前起立壁１１ｃとは離間されており、図５に示す状態で、後述する図１に示す挿通軸１３をこれらの間に配置するようになっている。
【００２７】
また、図１に示すように、左右起立壁１１ｂ，１１ｂの後端部にはそれぞれ、挿通孔１１ｄ，１１ｄが対を成して形成されており、後述する図１に示す挿通軸１５が挿通されるようになっている。また、左右起立壁１１ｂ，１１ｂの中央部にはそれぞれ、前後方向に延びる長穴１１ｅ，１１ｅが対を成して形成されており、図１に示すスライド軸１７が挿通されるようになっている。
【００２８】
また、図１に示すように、基部１１ａの前端縁が矩形状に切り欠かれるとともに、前起立壁１１ｃの上端縁が矩形状に切り欠かれることにより、基部１１ａと前起立壁１１ｃとで形成される角部の中央部分に断面Ｌ字状の開口部１１ｆが形成されている。前起立壁１１ｃの開口部１１ｆには、図４に示すように、後述する第二のリンク９が挿通され、前起立壁１１ｃの内側上端縁１１ｃｕ及び内側左右端縁１１ｃｓ，１１ｃｓによって第二のリンク９の下方向及び左右方向への移動が規制するようになっている。また、基部１１ａの矩形状の切欠きによって形成された前端縁１１ｇ（被係止部）には、後述する第二のリンク９に形成された突部９ｃの後端縁９ｃｒ（係止部）が係止するようになっている。尚、本実施形態では、ガイド板１１をベース３と別体で構成しているが、一体的に構成してもよい。
【００２９】
揺動部材５は、図２〜図４に示すように、平板状であり、後端部（一端部）がベース３に回転可能に取り付けられており、前端部（他端部）が地面Ｇに係合する係合位置と、図５に示すように前端部がベース３の底面に近接する収納位置との間を揺動するように構成されている。より詳細には、揺動部材５は、図１から図４に示すように、平面視矩形状の本体部５ａと、本体部５ａの前端部から左右方向に延びる延出部５ｂ，５ｂとを有している。この本体部５ａには、その左右端縁に沿って上方へ起立した一対の左右起立壁５ｃ，５ｃが形成されている。この左右起立壁５ｃ，５ｃの内側には、揺動部材５が収納位置に配置された図５に示す状態で、ガイド板１１，第一のリンク７，第二のリンク９及び後述する解除操作部９ｅが収納されるようになっている。また、左右起立壁５ｃ，５ｃの後端部にはそれぞれ、挿通孔５ｄ，５ｄが対を成して形成されている。そして、揺動部材５の左右起立壁５ｃ，５ｃをガイド板７の左右起立壁１１ｂ，１１ｂの外側に配置した状態で、左右起立壁５ｃ，５ｃの挿通孔５ｄ，５ｄ及びガイド板１１の挿通孔１１ｄ，１１ｄに、図１に示す挿通軸１５を挿通することにより、揺動部材５がガイド板１１に取り付けられるとともに挿通軸１５を中心に揺動可能となっている。また、この挿通軸１５は、図示しないねじりコイルばね（第一の付勢手段）に挿通されており、このねじりコイルばねの一端部がベース３を、他端部が揺動部材５を押圧することによって、揺動部材５が図３に示す係合位置から図５に示す収納位置に向けて付勢されるようになっている。また、揺動部材５の前端部は、図５に示す収納位置において、ベース３の底壁部３ｂの前端縁３ｅから突出するようになっており、この突出した前端部を下方に押し下げることにより揺動操作可能となっている。
【００３０】
また、図４に示すように、左右起立壁５ｃ，５ｃの中央より前端部寄りの位置にもそれぞれ、挿通孔５ｅ，５ｅが対を成して形成されており、挿通軸１３が挿通されるようになっている。
【００３１】
揺動部材５の本体部５ａの前端部及び延出部５ｂ，５ｂの地面Ｇに係合する接地面には、図１〜図３に示すように、ゴム製の係合部材１９が取り付けられており、揺動部材５の前端部は、この係合部材１９を介して地面Ｇに係合するようになっている。尚、本実施形態では、図３に示すように、後述する揺動部材５の前端部が地面Ｇに係合して係合位置に保持された状態において、鞄１の底面に設けられたキャスター２が地面Ｇから浮くように構成されている。
【００３２】
第一のリンク７は、図１に示すように、平面視矩形状であり、左右端縁に沿って上方へ起立する左右起立壁７ａ，７ａを有している。この左右起立壁７ａ，７ａの前端部（一端部）には挿通孔７ｂ，７ｂが、後端部（他端部）には挿通孔７ｃ，７ｃが各端部でそれぞれ対を成すように形成されている。そして、図２〜図４に示すように、第一のリンク７の左右起立壁７ａ，７ａを揺動部材５の左右起立壁５ｃ，５ｃの内側にした状態で、前端部の挿通孔７ｂ，７ｂ及び揺動部材５の挿通孔５ｅ，５ｅに、挿通軸１３を挿通することにより、第一のリンク７の前端部が挿通軸１３を中心に回転可能に連結されている。一方、第一のリンク７の後端部は、その左右起立壁７ａ，７ａをガイド板１１の左右起立壁１１ｂ，１１ｂの内側にした状態で、当該後端部の挿通孔７ｃ，７ｃ及びガイド板１１の長穴１１ｅ，１１ｅに、図１に示すスライド軸１７を挿通することにより、スライド軸１７を中心に回転可能に連結されるとともに、ガイド板１１の長穴１１ｅ，１１ｅに沿って摺動可能に連結されている。このように構成することで、揺動部材５の揺動に連動して第一のリンク７の後端部が摺動し、第一のリンク７が揺動するようになっている。そして、揺動部材５が収納位置に配置された状態で、第一のリンク７は、ガイド板１１の左右起立壁１１ｂ，１１ｂ及び前起立壁１１ｃの内側に収納されるとともに、第一のリンク７の左右起立壁７ａ，７ａの内側に第二のリンク９の後端側の領域を収容するようになっている。
【００３３】
第二のリンク９は、図１に示すように、平面視矩形状であり、左右端縁に沿って下方へ起立する左右起立壁９ａ，９ａを有している。この左右起立壁９ａ，９ａの後端部（一端部）にはそれぞれ、挿通孔９ｂ，９ｂが対を成して形成されている。そして、図２〜図４に示すように、第二のリンク９の左右起立壁９ａ，９ａを第一のリンク７の左右起立壁７ａ，７ａの内側にした状態で、第二のリンク９の挿通孔９ｂ，９ｂ及び第一のリンク７の後端部の挿通孔７ｃ，７ｃにスライド軸１７を挿通することにより、第二のリンク９の後端部が第一のリンク７の後端部に回転可能に連結されている。そして、第二のリンク９の前端部がガイド板１１の前起立壁１１ｃの開口部に挿通されることにより、揺動部材５の揺動に連動して第二のリンク９が第一のリンク７の後端部と共にガイド板１１の底面に沿って摺動するようになっている。また、左右起立壁９ａ，９ａの前端部には、切欠部９ａｃ，９ａｃが形成されており、揺動部材５が収納位置にある図５に示す状態で、ガイド部材１１の左右起立壁１１ｂ，１１ｂの前端縁１１ｂｆ，１１ｂｆと前起立壁１１ｃとの間に配置された挿通軸１３を逃がすようになっている。
【００３４】
また、図１に示すように、第二のリンク９の上面における前後方向の中央部付近には、突部９ｃが形成されている。この突部９ｃは、収納位置から係合位置へ向かう揺動部材５の揺動に連動して前進し、揺動部材５が係合位置に到達したときに、その後端縁９ｃｒがガイド板１１の前端縁１１ｇより前方に配置される。このとき、突部９ｃは、後述する板ばね２１による上方への付勢力によって、スライド軸１７を中心とする上方への揺動移動を伴なってガイド板１１の基部１１ａの切欠き部分１１ｈに落ち込む。これにより、揺動部材５が収納位置に向けて揺動しようとすると、図３及び図４に示すように、突部９ｃの後端縁９ｃｒがガイド板１１の前端縁１１ｇに係止され、第二のリンク９及び第一のリンク７の移動が規制されて揺動部材５が係合位置に保持されるようになっている。
【００３５】
第二のリンク９の下面側には、図３に示すように、第二のリンク９を上方へ付勢するための板ばね２１（第二の付勢手段）が取り付けられている。より詳細には、この板ばね２１は、図１に示すように前後方向に延びる帯状に形成されており、後端部に形成された取付部２１ａ、後端部から前端部に向けて延びる胴部２１ｂ、及び前端部に設けられた押圧部２１ｃで構成されている。そして、図５に示す揺動部材５の収納位置において、第二のリンク９の後端部に設けられた板ばね固定部９ｄに取付部２１ａが固定された状態で、胴部２１ｂが第二のリンク９の前端部に向かって上方へ傾斜するとともに、押圧部２１ｃの先端２１ｄがガイド部材１１の前起立壁１１ｃより後方で内側上端縁１１ｃｕより上方に位置し、胴部２１ｂの後端縁２１ｂｒがガイド部材１１の内側上端縁１１ｃｕより上方に位置するように配置されるようになっている。このような構成により、揺動部材５の収納位置から係合位置への揺動に連動して板ばね２１が前進すると、板ばね２１の胴部２１ｂがガイド部材１１の前起立壁１１ｃの内側上端縁１１ｃｕに当接し、押圧部２１ｃが上方へ押し上げられ、第二のリンク９を押圧するようになっている。
【００３６】
第二のリンク９の前端部（他端部）には、図１〜図４に示すように、上記のガイド板１１の前端縁１１ｇ（被係止部）と第二のリンク９の突部９ｃの後端縁９ｃｒ（係止部）との係止状態を解除するための解除操作部９ｅが設けられている。この解除操作部９ｅは、揺動部材５の揺動に連動し、図３に示すように揺動部材５が係合位置にある状態でベース３の前端縁３ｅから突出して解除操作可能な前進位置に配置されるようになっている。この前進位置で解除操作部９ｅを下方へ押し下げると、第二のリンク９の突部９ｃの後端縁９ｃｒが下方へ移動され、ガイド板１１の前端縁１１ｇとの係止状態が解除される。このとき、揺動部材５は上記のように図示しないねじりコイルばねによって収納位置へ向けて付勢されているので、揺動部材５が収納位置に揺動移動するようになっている。そして、解除操作部９ｅは、この揺動に連動して、図５に示すように揺動部材５が収納位置にある状態で、底壁部３ｂの前端縁３ｅから突出せずベース３に隠れる後退位置に配置されるとともに、揺動部材５の左右起立壁５ｃ，５ｃの内側に収納されるようになっている。尚、本実施形態では、解除操作部９ｅを第二のリンク９と別体で構成しているが、一体的に構成してもよい。
【００３７】
次に、上記のように構成されたキャスター付き鞄の移動防止装置の使用方法について説明する。
【００３８】
キャスター付き鞄１を所望の位置で動かないように固定するときは、キャスター２が地面Ｇから浮くように鞄１を持ち上げる。ついで、図５に示す揺動部材５が収納位置に配置された状態から、ベース３の前端縁３ｅから突出した揺動部材５の前端部を下方へ押し下げ、揺動部材５を揺動移動させることにより第二のリンク９を前進させる。そして、図２及び図３に示すように、揺動部材５を係合位置に配置した状態で揺動操作を終了すると、第二のリンク９の突部９ｃの後端縁９ｃｒがガイド板１１の前端縁１１ｇに係止する。これにより、揺動部材５の前端部の係合部材１９が地面Ｇに係合した状態で保持され、キャスター付き鞄１が所望の位置で動かないように固定される。
【００３９】
次いで、キャスター付き鞄１を移動させるときには、図２及び図３に示すベース３の前端縁３ｅから突出した第二のリンク９の解除操作部９ｅを下方へ押し下げることにより、第二のリンク９とガイド板１１との係止状態が解除される。そうすると、収納位置に向けて付勢された揺動部材５が自動的に揺動移動して図５に示す収納位置で保持される。このとき、図５に示すように、揺動部材５の内部に、ガイド板１１，第一のリンク７，第二のリンク９及び解除操作部９ｅが収納され、揺動部材５がベース３の底面に沿うように配置される。
【００４０】
以上のように本実施形態によれば、板状の揺動部材５の内部に、揺動部材５を係合位置に保持、及びその保持状態を解除するための機構を収納するように構成しているため、鞄１の底面からの移動防止装置全体の突出量が小さくなる。そのため、地面に突起物等があっても移動防止装置が衝突しにくく、鞄の移動をスムーズに行うことができる。
【００４１】
また、ベース３の前端縁３ｅから突出した揺動部材５の前端部を押し下げて係合位置に揺動操作するだけで揺動部材５が自動的に保持され、同じくベース３の前端縁３ｅから突出する解除操作部９ｅを押し下げるだけで、揺動部材５の保持状態が解除され、揺動部材５が自動的に収納位置に揺動移動して保持されるため、移動防止装置の操作が容易である。
【００４２】
さらに、解除操作部９ｅは、揺動部材５が係合位置に配置されているときにのみ、ベース３の前端縁３ｅから突出して解除操作可能な位置に配置されるため、揺動部材５を係合位置に揺動移動させる際に解除操作部９ｅを誤って操作することがなく、移動防止装置の操作性がよい。
【００４３】
以上、本発明に係る表示装置の一実施形態について説明したが、本発明は上記実施形態に限定されるものではなく、その趣旨を逸脱しない限りにおいて種々の変更が可能である。上記実施形態では、図３に示すように、揺動部材５の前端部が地面Ｇに係合して係合位置に保持された状態において、鞄１の底面に設けられたキャスター２が地面Ｇから浮くように構成されているが、係合部材１５と地面Ｇとの間に摩擦抵抗が発生するように構成されていれば、これに限定されるものではない。例えば、係合部材１９が接地し弾性変形している状態で、キャスター２が接地していてもよい。
【００４４】
また、係合部材１９の材質はゴムに限らず、弾性を有する樹脂や表面の粗い樹脂等を用いてもよい。或いは、係合部材１９を設けず、揺動部材５の前端部を直接地面Ｇに係合させるように構成してもよい。
【図面の簡単な説明】
【００４５】
【図１】本発明の一実施形態に係る移動防止用ストッパーの分解斜視図である。
【図２】図１の移動防止用ストッパーの組立状態を示す正面図である。
【図３】図２の移動防止用ストッパーの縦断面図である。
【図４】図２の移動防止用ストッパーの要部斜視図である。
【図５】図２の移動防止用ストッパーの収納状態を示す縦断面図である。
【符号の説明】
【００４６】
１  鞄
２  キャスター
３  ベース
５  揺動部材
７  第一のリンク
９  第二のリンク
９ｃ  突部
９ｃｒ  後端縁（係止部）
９ｅ  解除操作部
１１  ガイド板
１１ｇ  前端縁（被係止部）
１３，１５  挿通軸
１７  スライド軸
１９  係合部材
２１  板ばね
【図１】
2008142366.tif 000003
【図２】
2008142366.tif 000004
【図３】
2008142366.tif 000005
【図４】
2008142366.tif 000006
【図５】
2008142366.tif 000007
【手続補正書】
【提出日】平成19年8月21日(2007.8.21)
【手続補正１】
【補正対象書類名】明細書
【補正対象項目名】００３３
【補正方法】変更
【補正の内容】
【００３３】
第二のリンク９は、図１に示すように、平面視矩形状であり、左右端縁に沿って下方へ起立する左右起立壁９ａ，９ａを有している。この左右起立壁９ａ，９ａの後端部（一端部）にはそれぞれ、挿通孔９ｂ，９ｂが対を成して形成されている。そして、図２〜図４に示すように、第二のリンク９の左右起立壁９ａ，９ａを第一のリンク７の左右起立壁７ａ，７ａの内側にした状態で、第二のリンク９の挿通孔９ｂ，９ｂ及び第一のリンク７の後端部の挿通孔７ｃ，７ｃにスライド軸１７を挿通することにより、第二のリンク９の後端部が第一のリンク７の後端部に回転可能に連結されている。そして、第二のリンク９の前端部がガイド板１１の前起立壁１１ｃの開口部に挿通されることにより、揺動部材５の揺動に連動して第二のリンク９が第一のリンク７の後端部と共にガイド板１１の底面に沿って摺動するようになっている。また、左右起立壁９ａ，９ａの前端部には、切欠部９ａｃ，９ａｃが形成されており、揺動部材５が収納位置にある図５に示す状態で、ガイド板１１の左右起立壁１１ｂ，１１ｂの前端縁１１ｂｆ，１１ｂｆと前起立壁１１ｃとの間に配置された挿通軸１３を逃がすようになっている。
【手続補正２】
【補正対象書類名】明細書
【補正対象項目名】００３５
【補正方法】変更
【補正の内容】
【００３５】
第二のリンク９の下面側には、図３に示すように、第二のリンク９を上方へ付勢するための板ばね２１（第二の付勢手段）が取り付けられている。より詳細には、この板ばね２１は、図１に示すように前後方向に延びる帯状に形成されており、後端部に形成された取付部２１ａ、後端部から前端部に向けて延びる胴部２１ｂ、及び前端部に設けられた押圧部２１ｃで構成されている。そして、図５に示す揺動部材５の収納位置において、第二のリンク９の後端部に設けられた板ばね固定部９ｄに取付部２１ａが固定された状態で、胴部２１ｂが第二のリンク９の前端部に向かって上方へ傾斜するとともに、押圧部２１ｃの先端２１ｄがガイド板１１の前起立壁１１ｃより後方で内側上端縁１１ｃｕより上方に位置し、胴部２１ｂの後端縁２１ｂｒがガイド板１１の内側上端縁１１ｃｕより下方に位置するように配置されるようになっている。このような構成により、揺動部材５の収納位置から係合位置への揺動に連動して板ばね２１が前進すると、板ばね２１の胴部２１ｂがガイド板１１の前起立壁１１ｃの内側上端縁１１ｃｕに当接し、押圧部２１ｃが上方へ押し上げられ、第二のリンク９を押圧するようになっている。